(57)【要約】【課題】  撮像装置構成要素であるメインコンデンサ、電池及び回路基板の効率的な配置により撮像装置小型化を行うことを目的とする。【解決手段】  メインコンデンサ１は、鏡筒５と電池収納部４の間にカメラ本体に対して鉛直方向に配置される。電源基板２は、メインコンデンサ１と幅と高さがほぼ等しくなっており、メインコンデンサ１の背面の鏡筒５と電池収納部４の間にレンズ光軸に対して垂直に配置され、シャーシ１１及び電池収納部４にビス止めされている。システム基板３は、電源基板２に平行に配置されており、シャーシ１１及び電池収納部４にビス止めされる。システム基板３で必要な電力は電源基板２から供給されている。システム基板３は高さが電源基板２とほぼ等しく、幅は電池収納部４と電源基板３を合計した幅とほぼ等しくなっている。【選択図】        図１
2007025451.tif 000002
【特許請求の範囲】
【請求項１】
レンズを保持する鏡筒と、電池を収納する電池収納部と、電源回路が実装された電源基板と、撮像装置の制御を行う回路が実装されたシステム基板と、ストロボ発光部及びトリガー回路が実装されたストロボ基板と、メインコンデンサを有する撮像装置において、
前記鏡筒と前記電池収納部の間に前記メインコンデンサが配置され、前記電源基板が前記メインコンデンサに隣接して配置され、さらに前記システム基板が前記電池収納部に沿って配置されるとともに、前記電源基板に平行に配置されることを特徴とする撮像装置。
【請求項２】
前記電源基板は、前記メインコンデンサと幅及び高さがほぼ等しいことを特徴とする請求項１記載の撮像装置。
【請求項３】
前記システム基板は、前記電源基板と前記電池収納部を合わせた幅で、前記メインコンデンサの高さとほぼ等しいことを特徴とする請求項１または２記載の撮像装置。
【請求項４】
ストロボ発光回路が実装されたストロボ基板が前記メインコンデンサの軸方向に対して直行して配置されることを特徴とする請求項１ないし３のいずれか記載の撮像装置。
【請求項５】
前記メインコンデンサの端子が前記ストロボ基板に直接半田付けされることを特徴とする請求項１ないし４のいずれか記載の撮像装置。
【請求項６】
レンズを保護するレンズバリアと、レンズバリアを移動させるためのギアとラックとピニオンとその保持部材で構成されたレンズバリア駆動部を有する撮像装置において、前記メインコンデンサとフロントカバーの隙間に前記レンズバリア駆動部が配置されることを特徴とする請求項１ないし５のいずれか記載の撮像装置。
【請求項７】
前記電源基板の位置にストロボ基板が配置され、前記ストロボ基板の位置に電源基板が配置されることを特徴とする請求項１ないし６のいずれか記載の撮像装置。
【発明の詳細な説明】
【技術分野】
【０００１】
本発明は撮像装置に関し、詳しくは、ストロボを有する撮像装置を小型化するための電池、ストロボメインコンデンサ及び基板の配置に関するものである。
【背景技術】
【０００２】
現在多くの撮像装置にはストロボが内蔵されており、ストロボ発光のためにストロボメインコンデンサ及びストロボ基板が設けられている。ストロボの電源には撮像装置の小型化に伴い、リチウムイオン電池が多く用いられるようになった。液晶ディスプレイの使用や画像処理等で消費電力が大きくなったデジタルカメラにおいては、電池の持続時間を延ばすために大容量のリチウムイオン電池が使用されており、フイルムカメラと比較して電池の容量が多くなっている。
【０００３】
ストロボ発光は被写体との距離が遠い場合には光量を上げる必要があるため、被写体の比較的遠くなる高倍率のレンズを有する撮像装置には、大きな容量のメインコンデンサが使用されている。
【０００４】
また撮像装置の小型化が進むにつれ、撮像装置本体に占める電池やメインコンデンサの割合が大きくなっている。さらに多くの機能を盛り込むために撮像装置内部回路規模が大きくなり回路基板の占めるスペースが大きくなってきた。撮像装置は内部のレイアウトによって本体の大きさや量産性が変わってくる。そのため、撮像装置本体の小型化を行うためには電池やメインコンデンサ及び回路基板を効率よく配置することが重要となっている。
【０００５】
そこで、レンズ及びファインダを、カメラ正面から見て右側に配置し、電池を正面から見て左側に配置し、レンズ及びファインダと電池との間に軸を鉛直にしてメインコンデンサを配設し、メインコンデンサ上方にストロボ、下方に電動バリアモータユニットを配置することで正面の投影面積を少なくするレイアウトが提案されている（特許文献１）。
【特許文献１】特開２００４−４５８２０号公報
【発明の開示】
【発明が解決しようとする課題】
【０００６】
しかしながら、上記従来例では正面からの投影面積ついてのみしか言及していない。
【０００７】
そこで本発明においては、撮像装置構成要素であるメインコンデンサ、電池及び回路基板の効率的な配置により、小型化を実現できる撮像装置の提供を目的とする。
【課題を解決するための手段】
【０００８】
本発明は上述の目的を達成するため、撮像装置を以下（１）〜（７）に示すとおりのものとする。
【０００９】
（１）レンズを保持する鏡筒と、電池を収納する電池収納部と、電源回路が実装された電源基板と、撮像装置の制御を行う回路が実装されたシステム基板と、ストロボ発光部及びトリガー回路が実装されたストロボ基板と、メインコンデンサを有する撮像装置において、前記鏡筒と前記電池収納部の間に前記メインコンデンサが配置され、前記電源基板が前記メインコンデンサに隣接して配置され、さらに前記システム基板が前記電池収納部に沿って配置されるとともに、前記電源基板に平行に配置されることを特徴とする。
【００１０】
（２）前項（１）において、前記電源基板は、前記メインコンデンサと幅及び高さがほぼ等しいことを特徴とする。
【００１１】
（３）前項（１）または（２）において、前記システム基板は、前記電源基板と前記電池収納部を合わせた幅で、前記メインコンデンサの高さとほぼ等しいことを特徴とする。
【００１２】
（４）前項（１）ないし（３）のいずれかにおいて、ストロボ発光回路が実装されたストロボ基板が前記メインコンデンサの軸方向に対して直行して配置されることを特徴とする。
【００１３】
（５）前項（１）ないし（４）のいずれかにおいて、前記メインコンデンサの端子が前記ストロボ基板に直接半田付けされることを特徴とする。
【００１４】
（６）前項（１）ないし（５）のいずれかにおいて、レンズを保護するレンズバリアと、レンズバリアを移動させるためのギアとラックとピニオンとその保持部材で構成されたレンズバリア駆動部を有する撮像装置において、前記メインコンデンサとフロントカバーの隙間に前記レンズバリア駆動部が配置されることを特徴とする。
【００１５】
（７）前項（１）ないし（６）において、前記電源基板の位置にストロボ基板が配置され、前記ストロボ基板の位置に電源基板が配置されることを特徴とする。
【発明の効果】
【００１６】
本発明によれば、撮像装置構成要素である電池やメインコンデンサ及び回路基板の効率的な配置により撮像装置小型化を行うことができる。
【００１７】
またメインコンデンサ、電池、ストロボ基板が近くに配置されるため電気的損失を減少させることが可能となる。
【発明を実施するための最良の形態】
【００１８】
以下に、本発明を実施するための最良の形態を、実施例に基づいて説明する。
【実施例１】
【００１９】
以下本発明における実施例を示す。本実施の形態においては、デジタルカメラに適用して説明するが、フイルムカメラ、ビデオカメラ等のストロボを有するカメラでもよい。
【００２０】
図５は本発明に係るカメラの概観図である。図５に示すように５は鏡筒、６はストロボ発光部、９はレンズバリア、１０はレンズである。レンズバリア９は電源スイッチを兼ねており、レンズバリア９を開くと電源が入り、鏡筒５及びレンズ１０が撮影できる状態まで繰り出すようになっている。１２はフロントカバー、１３はリアカバーである。１４はシャッターボタン、２４はファインダ、２５はＡＦ補助光を示している。
【００２１】
図６にカメラの背面斜視図を示す。１５はモードダイアル、１６は液晶ディスプレイ、１７は電池蓋を示している。電池はカメラ本体の底面側から挿入される。１８は再生ボタンであり、ボタンを押すことにより、撮影した画像が液晶ディスプレイ１６に表示される。液晶ディスプレイ１６には、撮影画像の表示に加えてストロボのモード表示や通常撮影・マクロなど撮影モードの表示がされ、現在の設定がわかるようになっている。１９はズームレバー、２０はファインダ接眼部、２１はストラップリング、２２は三脚座、２３は操作ボタンを示している。その他の構成部品に関しては省略してある。
【００２２】
カメラの基本的な動作について説明する。レンズバリア９を開いて撮影待機状態にする。シャッターボタン１４を半押しすると、ＡＦ制御・測距及び測光が行われる。１０のレンズ、不図示のシャッター、絞り、フォーカスレンズ、ＣＣＤからなる撮像部で得られた画像信号がエンジンにより処理される。
【００２３】
処理により得られた画像のコントラストが最大となるようにフォーカスレンズを駆動させ、コントラストがピークに達した位置をピント合致点と判断する。フォーカスが合った時点での焦点距離からカメラと被写体との距離情報が得られる。
【００２４】
ＡＦ制御を行う際には、ＡＦ補助光２５を発光させる。撮像部で得られた被写体の輝度情報により、ストロボ発光が必要と判断された場合は、被写体との距離、被写体の輝度により、ストロボの照射輝度、絞り値、露出、ホワイトバランスが設定される。その後シャッターボタン１４を全押しすると設定された条件によりストロボ撮影が行われる。
【００２５】
図１にフロントカバー１２とリアカバー１３を省略した上面図を、図２にカメラ本体中央部の断面図を示す。１はメインコンデンサ、１ａはメインコンデンサのプラス端子、１ｂはマイナス端子を示している。
【００２６】
２は電源基板である。電源基板２はカメラの撮影動作等で必要な電圧を作り出している。３はシステム基板を示している。
【００２７】
システム基板３では、カメラの制御を行う回路が実装されており、鏡筒の駆動制御や撮影データの処理、画像の表示などを行う。４は電池収納部を示している。１１はシャーシであり、カメラ構成要素の多くはシャーシ１１にビス止めにより保持される。
【００２８】
図３にフロントカバー１２とリアカバー１３を省略した正面図を示す。７はストロボのトリガー回路が実装されたストロボ基板である。８は電源端子で、８ａがマイナス端子、８ｂが電池の温度検出信号、８ｃがプラス端子である。
【００２９】
メインコンデンサ１は、鏡筒５と電池収納部４の間にカメラ本体に対して鉛直方向に配置される。電源基板２はメインコンデンサ１と幅と高さがほぼ等しくなっており、メインコンデンサ１の背面の鏡筒５と電池収納部４の間にレンズ光軸に対して垂直に配置され、シャーシ１１及び電池収納部４にビス止めされている。
【００３０】
電源基板２には電源端子８から電線を介して電池から電源が供給される。電源基板２は電池の近くに配置されているために、電気的な損失が少なくすることが可能である。
【００３１】
システム基板３は電源基板２に平行に配置されており、シャーシ１１及び電池収納部４にビス止めされる。システム基板３で必要な電力は電源基板２から供給されている。システム基板３は高さが電源基板２とほぼ等しく、幅は電池収納部４と電源基板２を合計した幅とほぼ等しくなっている。
【００３２】
このような基板の配置をすることにより、空間を有効に利用できるほか、電源基板２とシステム基板３の接続を最短距離で行うことができる。また電源基板２とシステム基板３を平行に配置したことにより、それぞれ実装部品の高さ制限を共有することができ、スペースを有効に利用できるほか、本体の薄型化に有効である。
【００３３】
ストロボ基板７は電源収納部上面に配置され、シャーシ１１及び電池収納部４にビス止めされる。ストロボで使用される電源は、そのまま変圧されずに電源基板２からストロボ基板３へと送られ、ストロボメインコンデンサ１にはストロボ発光する際に必要な電気が蓄積される。
【００３４】
ストロボ基板７にはメインコンデンサ端子１ａ、１ｂと同じピッチでスルーホールが設けられており、メインコンデンサ端子１ａ、１ｂをスルーホールに通して半田付けされる。これによりメインコンデンサ１とストロボ基板７の大電流の流れる経路を短くできるため、電気的ロスを最小限にすることができる。
【００３５】
この基板構成にすることで、電気的な接続が容易なだけでなく、電源基板２、システム基板３、ストロボ基板７を同じシャーシに固定し、接地することができるため、静電気やノイズに対して強い構成となる。また。回路基板と電池収納部４でユニット化しやすく、組み立てやすいというメリットがある。
【００３６】
円形のメインコンデンサ１の隅にできる隙間にレンズバリア９のメカ機構を配置したり、電源基板２の背の高い実装部品を配置することにより、空いたスペースを有効に利用することができる。
【００３７】
また、端子１ａ、１ｂ、電源端子８の配置によっては、電源基板２の配置されたところにストロボ基板７を配置し、ストロボ基板７の配置された位置に電源基板２を配置してもよい。
【実施例２】
【００３８】
図４は本発明に係る第２の実施形態を示す上面図である。実施例１と同じくメインコンデンサ１は鏡筒５と電池収納部４の間に配置した。第１の実施例ではシステム基板側に配置していた電源基板２をカメラ前方側に配置し、基板でメインコンデンサ１を挟む形になっている。電源端子８と電源基板２の接続は、直接電源基板に半田付けしてもよい。
【図面の簡単な説明】
【００３９】
【図１】第１の実施形態におけるカメラの分解上面図である。
【図２】第１の実施形態におけるカメラの断面図である。
【図３】第１の実施形態におけるカメラの分解正面図である。
【図４】第２の実施形態におけるカメラの分解上面図である。
【図５】第１、２の実施形態におけるカメラの外観正面斜視図である。
【図６】第１、２の実施形態におけるカメラの外観背面斜視図である。
【符号の説明】
【００４０】
１  メインコンデンサ
２  電源基板
３  システム基板
４  電池収納部
５  鏡筒
７  ストロボ基板
９  レンズバリア
１１  シャーシ
【図１】
2007025451.tif 000003
【図２】
2007025451.tif 000004
【図３】
2007025451.tif 000005
【図４】
2007025451.tif 000006
【図５】
2007025451.tif 000007
【図６】
2007025451.tif 000008